(57)【要約】プラズマディスプレイ装置は、プラズマディスプレイ１と、プラズマディスプレイ１を支持し且つ導電性を有するシャーシ２と、プラズマディスプレイ１に映像を表示するためのチューナ回路１１、スキャンドライバ１２及びサステインドライバ１３等と、シャーシ２、スキャンドライバ１２及びサステインドライバ１３等を覆うバックカバー４と、チューナ回路１１を覆うシールド体５とから構成され、シールド体５は、シャーシ２及びバックカバー４に電気的に接続される。
2005022493.tif 000002
【特許請求の範囲】
【請求項１】
プラズマディスプレイと、
前記プラズマディスプレイを支持し且つ導電性を有する支持部材と、
前記プラズマディスプレイに映像を表示するための電気回路と、
前記支持部材及び前記電気回路の少なくとも一部を覆う第１の導電部材と、
前記電気回路の一部を覆う第２の導電部材とを備え、
前記第２の導電部材は、前記支持部材及び第１の導電部材に電気的に接続されることを特徴とするプラズマディスプレイ装置。
【請求項２】
前記電気回路は、
主にデジタル信号を処理するデジタル回路と、
主にアナログ信号を処理するアナログ回路とを含み、
前記第１の導電部材は、前記支持部材及び前記デジタル回路を覆い、
前記第２の導電部材は、前記アナログ回路を覆うことを特徴とする請求項１記載のプラズマディスプレイ装置。
【請求項３】
前記電気回路は、
前記プラズマディスプレイを駆動する駆動回路と、
放送信号を受信する受信回路とを含み、
前記第１の導電部材は、前記支持部材及び前記駆動回路を覆い、
前記第２の導電部材は、前記受信回路を覆うことを特徴とする請求項１記載のプラズマディスプレイ装置。
【請求項４】
前記駆動回路は、
前記プラズマディスプレイのデータ電極を駆動するデータ電極駆動回路と、
前記プラズマディスプレイの走査電極を駆動する走査電極駆動回路と、
前記プラズマディスプレイの維持電極を駆動する維持電極駆動回路とを含み、
前記データ電極駆動回路、前記走査電極駆動回路及び前記維持電極駆動回路は、前記支持部材の外周部に配置され、
前記受信回路は、前記支持部材の中央付近に配置されることを特徴とする請求項３記載のプラズマディスプレイ装置。
【請求項５】
前記支持部材は、前記電気回路の接地電位に接続されることを特徴とする請求項１記載のプラズマディスプレイ装置。
【請求項６】
前記第２の導電部材には、前記第１の導電部材と接合するための第１の接合部が設けられるとともに、前記支持部材と接合するための第２の接合部が設けられることを特徴とする請求項１記載のプラズマディスプレイ装置。
【請求項７】
前記第２の導電部材は、前記第１の接合部を介して前記第１の導電部材にネジ固定されるとともに、前記第２の接合部を介して前記支持部材にネジ固定されることを特徴とする請求項６に記載のプラズマディスプレイ装置。
【請求項８】
前記第１の導電部材には開口部が形成されており、前記開口部から前記第２の導電部材の一部が露出することを特徴とする請求項１記載のプラズマディスプレイ装置。
【請求項９】
前記第２の導電部材は、
前記支持部材に接続される第１のシールド部材と、
前記第１のシールド部材に対して着脱可能に構成された第２のシールド部材とを含むことを特徴とする請求項８記載のプラズマディスプレイ装置。
【請求項１０】
前記第２の導電部材は、前記開口部を介して前記支持部材及び前記第１の導電部材から取り外し可能に構成されることを特徴とする請求項８記載のプラズマディスプレイ装置。
【請求項１１】
前記第２の導電部材は、
前記開口部を介して前記第１の導電部材の内部に挿入可能な第１のシールド部材と、
前記第１のシールド部材に対して着脱可能に構成された第２のシールド部材とを含むことを特徴とする請求項１０記載のプラズマディスプレイ装置。
【請求項１２】
前記第２の導電部材は、不要電流の流れる方向に沿ってスリットが形成されることを特徴とする請求項１記載のプラズマディスプレイ装置。
【請求項１３】
前記電気回路は、
前記プラズマディスプレイを駆動する第１及び第２の駆動回路と、
前記第１及び第２の駆動回路の間に配置され、放送信号を受信する受信回路とを含み、
前記第１の導電部材は、前記支持部材及び前記第１及び第２の駆動回路を覆い、
前記第２の導電部材は、
前記第１の駆動回路と前記受信回路との間に配置される第１のシールド板と、
前記第２の駆動回路と前記受信回路との間に配置される第２のシールド板と、
前記第１のシールド板の一端と前記第２のシールド板の一端との間に配置される第３のシールド板と、
前記第１のシールド板の他端と前記第２のシールド板の他端との間に配置される第４のシールド板とを含み、
前記第３及び第４のシールド板の少なくとも一方には、その端部付近にスリットが形成されることを特徴とする請求項１記載のプラズマディスプレイ装置。
【請求項１４】
前記第１の駆動回路は、前記プラズマディスプレイの走査電極を駆動する走査電極駆動回路を含み、
前記第２の駆動回路は、前記プラズマディスプレイの維持電極を駆動する維持電極駆動回路を含むことを特徴とする請求項１３記載のプラズマディスプレイ装置。
【発明の詳細な説明】
【技術分野】  本発明は、高電圧駆動されるプラズマディスプレイを用いたプラズマディスプレイ装置に関するものである。
【背景技術】  プラズマディスプレイ（以下、ＰＤＰと略す）を用いた従来のプラズマディスプレイ装置として、例えば、特開平１０−１１７０８１号公報に開示されるものがあり、ＰＤＰを駆動するための駆動回路と、該回路等に種々の電圧を供給する電源回路とが、ＰＤＰの背面に取り付けられ、ＰＤＰを電磁的にシールドするために、ＰＤＰを全体的に覆う導電体と、駆動回路を覆う導電体と、電源回路を覆う導電体とが、個別に設けられる。
上記のシールド構造により、ＰＤＰ、駆動回路及び電源回路が個別にシールドされ、ＰＤＰから発生される不要輻射ノイズが駆動回路に到達して駆動回路の信号にノイズが乗ることを防止することができ、表示画面のノイズを低減することができる。
しかしながら、上記のようにＰＤＰ、駆動回路及び電源回路を個別にシールドしたのでは、シールド構造が複雑になり、シールド部品の部品点数が増加するとともに、シールド部品を取り付けるための製造工数も増加し、プラズマディスプレイ装置のコストが増大する。
また、近年では、放送信号を受信するチューナ回路を駆動回路とともに内部に取り付けたチューナー体型のプラズマディスプレイ装置が開発されている。この場合、駆動回路等から漏れ出る不要電流がＰＤＰを覆う導電体に流れて不要輻射を発生させ、アナログ信号を扱うアナログ回路、特にチューナ回路の信号に不要輻射ノイズが乗り易くなる。この結果、表示画像にノイズが発生したり、周辺機器へ悪影響を与えたりすることとなる。
【発明の開示】
本発明の目的は、簡略な構成でプラズマディスプレイ装置から外部へ放出される不要輻射ノイズを低減することができるとともに、不要輻射ノイズによる内部回路への悪影響を低減することができるプラズマディスプレイ装置に関するものである。
本発明の一局面に従うプラズマディスプレイ装置は、プラズマディスプレイと、プラズマディスプレイを支持し且つ導電性を有する支持部材と、プラズマディスプレイに映像を表示するための電気回路と、支持部材及び電気回路の少なくとも一部を覆う第１の導電部材と、電気回路の一部を覆う第２の導電部材とを備え、第２の導電部材は、支持部材及び第１の導電部材に電気的に接続される。
このプラズマディスプレイ装置では、プラズマディスプレイ及び電気回路から発生する不要輻射ノイズが第１の導電部材によりシールドされ、外部への不要輻射ノイズを低減することができる。また、第１の導電部材が第２の導電部材に電気的に接続されるとともに、第２の導電部材が支持部材に電気的に接続されているので、電気回路のうち駆動回路等から不要電流が漏れ出たとしても、不要電流が第１の導電部材、第２の導電部材、支持部材の順に流れるので、不要電流により発生される不要輻射ノイズが外部へ放出されることを抑制することができるとともに、不要電流が第２の導電部材に覆われている回路へ流れ込むことを抑制して当該回路に対する不要電流による悪影響を低減することができる。さらに、第２の導電部材に覆われている回路は第２の導電部材によりシールドされているので、当該回路に対する不要輻射ノイズによる悪影響も低減することができる。この結果、第１及び第２の導電部材を用いるという簡略な構成でプラズマディスプレイ装置から外部へ放出される不要輻射ノイズを低減することができるとともに、不要輻射ノイズによる内部回路への悪影響を低減することができる。
電気回路は、主にデジタル信号を処理するデジタル回路と、主にアナログ信号を処理するアナログ回路とを含み、第１の導電部材は、支持部材及びデジタル回路を覆い、第２の導電部材は、アナログ回路を覆うことが好ましい。
この場合、不要輻射ノイズの影響を受け易いアナログ回路が第２の導電部材により充分にシールドされるので、デジタル回路から不要電流が漏れ出たとしても、アナログ回路に対する不要輻射ノイズによる悪影響を充分に低減することができる。
電気回路は、プラズマディスプレイを駆動する駆動回路と、放送信号を受信する受信回路とを含み、第１の導電部材は、支持部材及び駆動回路を覆い、第２の導電部材は、受信回路を覆うことが好ましい。
この場合、不要輻射ノイズの影響を受け易い受信回路が第２の導電部材により充分にシールドされるので、駆動回路から不要電流が漏れ出たとしても、受信回路に対する不要輻射ノイズによる悪影響を充分に低減することができる。
駆動回路は、プラズマディスプレイのデータ電極を駆動するデータ電極駆動回路と、プラズマディスプレイの走査電極を駆動する走査電極駆動回路と、プラズマディスプレイの維持電極を駆動する維持電極駆動回路とを含み、データ電極駆動回路、走査電極駆動回路及び維持電極駆動回路は、支持部材の外周部に配置され、受信回路は、支持部材の中央付近に配置されることが好ましい。
この場合、データ電極駆動回路、走査電極駆動回路及び維持電極駆動回路から漏れ出る不要電流が第１の導電部材、第２の導電部材、支持部材の順に流れるとともに、受信回路が第２の導電部材により充分にシールドされるので、不要電流により発生される不要輻射ノイズが外部へ放出されることを抑制することができるとともに、不要輻射の影響を受け易い受信回路に対する不要輻射ノイズによる悪影響を低減することができる。
支持部材は、電気回路の接地電位に接続されることが好ましい。
この場合、電気回路のうち駆動回路等から漏れ出る不要電流が第１の導電部材、第２の導電部材、支持部材の順に流れ、最終的に支持部材に還流されてアースされるので、不要電流により発生される不要輻射ノイズが外部へ放出されることを防止することができるとともに、不要電流が第２の導電部材に覆われている回路へ流れ込むことを防止することができる。
第２の導電部材には、第１の導電部材と接合するための第１の接合部が設けられるとともに、支持部材と接合するための第２の接合部が設けられることが好ましい。
この場合、接合部により第１及び第２の導電部材を電気的且つ機械的に確実に接続することができる。
第２の導電部材は、第１の接合部を介して第１の導電部材にネジ固定されるとともに、第２の接合部を介して支持部材にネジ固定されることが好ましい。
この場合、ネジ固定により第１及び第２の導電部材を電気的且つ機械的に強固に接続することができる。
第１の導電部材には開口部が形成されており、開口部から第２の導電部材の一部が露出することが好ましい。
この場合、第１の導電部材を取り外すことなく、開口部から第２の導電部材を取り外したり、開口部から第２の導電部材の内部回路を調整等したりすることが可能となり、第２の導電部材の内部回路に対するメンテナンス性を向上することができる。
第２の導電部材は、支持部材に接続される第１のシールド部材と、第１のシールド部材に対して着脱可能に構成された第２のシールド部材とを含むことが好ましい。
この場合、第１のシールド部材を支持部材に接続したまま第２のシールド部材を取り外すことにより第２の導電部材の内部回路を調整等したりすることが可能となり、第２の導電部材の内部回路に対するメンテナンス性をより向上することができる。
第２の導電部材は、開口部を介して支持部材及び第１の導電部材から取り外し可能に構成されることが好ましい。
この場合、第１の導電部材を取り外すことなく、開口部を介して第２の導電部材を取り外すことができ、第２の導電部材及びその内部回路の交換が容易となる。
第２の導電部材は、開口部を介して第１の導電部材の内部に挿入可能な第１のシールド部材と、第１のシールド部材に対して着脱可能に構成された第２のシールド部材とを含むことが好ましい。
この場合、第１の導電部材を取り外すことなく、第１のシールド部材を支持部材に固定したまま第２のシールド部材を取り外すことにより第２の導電部材の内部回路を調整等することが可能となり、第２の導電部材の内部回路に対するメンテナンス性をさらに向上することができる。
第２の導電部材は、不要電流の流れる方向に沿ってスリットが形成されることが好ましい。
この場合、不要電流の流れる方向に沿ってスリットが形成されているので、電気回路のうち駆動回路等から漏れ出る不要電流を第２の導電部材から支持部材に確実に流すことができ、この不要電流による不要輻射ノイズを防止することができる。
電気回路は、プラズマディスプレイを駆動する第１及び第２の駆動回路と、第１及び第２の駆動回路の間に配置され、放送信号を受信する受信回路とを含み、第１の導電部材は、支持部材及び第１及び第２の駆動回路を覆い、第２の導電部材は、第１の駆動回路と受信回路との間に配置される第１のシールド板と、第２の駆動回路と受信回路との間に配置される第２のシールド板と、第１のシールド板の一端と第２のシールド板の一端との間に配置される第３のシールド板と、第１のシールド板の他端と第２のシールド板の他端との間に配置される第４のシールド板とを含み、第３及び第４のシールド板の少なくとも一方には、その端部付近にスリットが形成されることが好ましい。
この場合、第３及び第４のシールド板の少なくとも一方には、その端部付近にスリットが形成されているので、第１及び第２の駆動回路から漏れ出る不要電流が第１の導電部材、第２の導電部材の第１及び第２のシールド板、支持部材の順に確実に流れ、不要電流による不要輻射ノイズを確実に防止することができるとともに、受信回路が第２の導電部材の第１乃至第４のシールド板により充分にシールドされるので、受信回路に対する不要輻射ノイズによる悪影響を確実に防止することができる。
第１の駆動回路は、プラズマディスプレイの走査電極を駆動する走査電極駆動回路を含み、第２の駆動回路は、プラズマディスプレイの維持電極を駆動する維持電極駆動回路を含むことが好ましい。
この場合、高電圧駆動される走査電極駆動回路及び維持電極駆動回路から漏れ出る不要電流が第１の導電部材、第２の導電部材の第１及び第２のシールド板、支持部材の順に確実に流れ、不要電流による不要輻射ノイズを確実に防止することができるとともに、受信回路が第２の導電部材の第１乃至第４のシールド板により充分にシールドされるので、受信回路に対する不要輻射ノイズによる悪影響を防止することができる。
【図面の簡単な説明】  図１は、本発明の第１の実施の形態によるプラズマディスプレイ装置の背面を示す斜視図である。
図２は、本発明の第１の実施の形態によるプラズマディスプレイ装置の前面を示す斜視図である。
図３は、本発明の第１の実施の形態によるプラズマディスプレイ装置の構成を示す断面図である。
図４は、図１乃至図３に示すバックカバーの斜視図である。
図５は、図１乃至図３に示すシールド体の斜視図である。
図６は、図５に示すシールド体をシャーシに取り付けた状態を示す平面図である。
図７は、図５に示すシールド体にバックカバーを取り付けた状態を示す平面図である。
図８は、図１乃至図３に示すプラズマディスプレイ装置に用いられる各回路のシャーシ上の配置図である。
図９は、本発明の第２の実施の形態によるプラズマディスプレイ装置の構成を示す断面図である。
図１０は、本発明の第３の実施の形態によるプラズマディスプレイ装置の構成を示す断面図である。
図１１は、本発明の第４の実施の形態によるプラズマディスプレイ装置の構成を示す断面図である。
【発明を実施するための最良の形態】  以下、本発明に係るプラズマディスプレイ装置について説明する。図１は、本発明の第１の実施の形態によるプラズマディスプレイ装置の背面を示す斜視図であり、図２は、同装置の前面を示す斜視図であり、図３は、同装置の構成を示す断面図であり、図１に示すＩ−Ｉ線断面図である。
図１乃至図３に示すプラズマディスプレイ装置は、プラズマディスプレイパネル（以下、ＰＤＰと略す）１、シャーシ２、フロントカバー３、バックカバー４、シールド体５、固定ネジ６ａ〜６ｃ、チューナ回路１１、スキャンドライバ１２及びサステインドライバ１３を備える。
ＰＤＰ１は、長方形形状を有し、シャーシ２の前面に固定される。ＰＤＰ１は、ガラス製の表面基板及び背面基板を備え、これらの間に、画面の垂直方向に配列される複数のデータ電極並びに画面の水平方向に配列される複数の走査電極及び複数の維持電極が配置されたものである。各電極の交点には放電セルが形成され、ＰＤＰ１は、放電セルを放電させることにより種々の画面を表示する。
シャーシ２は、導電性を有する金属から構成され、例えば、固定用リブ等を適宜配置した略長方形形状を有するアルミダイカスト部品から構成され、ＰＤＰ１等を支持する支持部材である。シャーシ２は、スキャンドライバ１２及びサステインドライバ１３等の電気回路の接地電位に接続されてアースされている。
フロントカバー３は、ＰＤＰ１の表示画面を残してその縁部を覆うように、ネジ固定等の固定手段（図示省略）を用いてシャーシ２に固定される。フロントカバー３は、導電性を有する金属体又は導電メッキを施した成形品等から構成される。
スキャンドライバ１２及びサステインドライバ１３は、シャーシ２の背面の左側及び右側に固定され、チューナ回路１１は、シールド体５の内部に固定される。シールド体５は、ネジ６ｃを用いてシャーシ２の背面の中央下部にネジ固定され、バックカバー４は、ネジ６ａを用いてシャーシ２にネジ固定されるとともに、ネジ６ｂを用いてシールド体５にネジ固定される。
図４は、図１乃至図３に示すバックカバー４の斜視図である。図４に示すように、バックカバー４は、四方のテーパ面からなる凸部を有し、この凸部により形成される空間内にスキャンドライバ１２及びサステインドライバ１３等が配置される。バックカバー４は、導電性を有する金属体又は導電メッキを施した成形品等から構成され、シャーシ２、スキャンドライバ１２及びサステインドライバ１３等を覆う第１の導電部材である。このように、第１の導電部材であるバックカバー４が支持部材であるシャーシ２及び電気回路の一部であるスキャンドライバ１２及びサステインドライバ１３等を覆っているので、第１の導電部材が支持部材及び電気回路の一部を覆うこととなる。
バックカバー４の中央下部には、開口部となる長方形形状の孔４１が形成され、孔４１の縁部の所定位置に固定ネジ６ｂを挿通するための孔が形成されている。シールド体５の背面は孔４１から露出され、シールド体５の背面はシールド機能を果たすとともに外装面として共用される。
このように、孔４１からシールド体５の背面が露出しているので、孔４１を介してシールド体５又はその一部が取り外し可能に構成されている場合、孔４１を介してシールド体５又はその内部のチューナ回路１１のメンテナンス作業等を行うことが可能となる。
なお、孔の位置、数及び形状等は上記の例に特に限定されず、種々の変更が可能であり、バックカバー４によるシールド効果を高めるために孔を省略したり、２個以上の孔を設けるようにしたりしてもよい。このように、バックカバー４に孔４１を設けず、バックカバー４がシャーシ２及びチューナ回路１１を含む全ての電気回路を覆ってもよく、この場合、第１の導電部材が支持部材及び電気回路の全てを覆うこととなる。
図５は、図１乃至図３に示すシールド体５の斜視図である。シールド体５は、導電性を有する金属体又は導電メッキを施した成形品等から構成され、チューナ回路１１を覆う第２の導電部材である。このように、第２の導電部材であるシールド体５が電気回路の一部であるチューナ回路１１を覆っているので、第２の導電部材が電気回路の一部を覆うこととなる。
図５に示すように、シールド体５は、略直方体形状を有し、前面シールド板５１（シャーシ２側の面）、背面シールド板５２（孔４１から露出する面）、上面シールド板５３、下面シールド板５４、左側面シールド板５５、右側面シールド板５６の６面のシールド部材からなり、その内部にチューナ回路１１が収納される。
左側面シールド板５５は、スキャンドライバ１２とチューナ回路１１との間に配置され、右側面シールド板５６は、サステインドライバ１３とチューナ回路１１との間に配置され、上面シールド板５３は、左側面シールド板５５の上端と右側面シールド板５６の上端との間に配置され、下面シールド板５４は、左側面シールド板５５の下端と右側面シールド板５６の下端との間に配置され、前面シールド板５１及び背面シールド板５２は、左側面シールド板５５、上面シールド板５３、右側面シールド板５６及び下面シールド板５４とともに直方体を形成する位置に配置される。
前面シールド板５１には、前面シールド板５１に沿って延出する４つの接合片５７が一体に設けられ、各接合片５７の両端部には固定ネジ６ｃを挿通するための孔が形成されている。接合片５７は、シールド体５とシャーシ２とを接合するための第１の接合部である。
背面シールド板５２の各辺には、背面シールド板５２に沿って延出する接合片５８が一体に設けられ、各接合片５８には固定ネジ６ｂと螺合するネジ孔が形成されている。接合片５８は、シールド体５とバックカバー４とを接合するための第２の接合部である。
なお、シールド体の形状等は、上記の例に特に限定されず、直方体に凹部、凸部、切り欠き、孔等を適宜設けてもよい。また、接合片の形状及び数等は、上記の例に特に限定されず、シールド体をシャーシ及びバックカバーに電気的且つ機械的に接続できれば、シールド体の前面及び／又は背面のすべての辺に接続辺を設けたり、シールド体の左側面、上面、右側面及び下面に接合辺を設けたりする等の種々の変更が可能である。また、外部へ突出する接合片を設けることなく、シールド体の前面及び背面等の一部を接合片として兼用してもよい。
上面シールド板５３の両端部近傍には、帯状の切り欠きによりスリット５９が形成されている。スリット５９は、スキャンドライバ１２及びサステインドライバ１３等から漏れ出る不要電流の流れる方向、すなわちシャーシ２に対して垂直な方向に沿って形成され、スリット５９の一方端側に流れる不要電流は他端側に流れることなく、不要電流は最短距離でシャーシ２へ還流される。
なお、スリットの形状、形成位置及び数は、上記の例に特に限定されず、下面に形成したり、左側面と上面との接合位置及び／又は右側面と上面との接合位置に形成したり、１個又は３個以上のスリットを形成したりする等の種々の変更が可能である。
図６は、図５に示すシールド体５をシャーシ２に取り付けた状態を示す平面図である。なお、図６では、取り付け状態を明確に示すために接合片５８の図示を省略している。シールド体５は、その内部にチューナ回路１１が取り付けられた後、固定ネジ６ｃをシャーシ２に形成されたネジ孔に螺合するネジ固定により、接合片５７を介してシャーシ２に電気的且つ機械的に接続される。
図７は、図５に示すシールド体５にバックカバー４を取り付けた状態を示す平面図である。シールド体５は、バックカバー４がシャーシ２に固定された後、固定ネジ６ｂを接合片５８に形成されたネジ孔に螺合するネジ固定により、接合片５８を介してバックカバー４に電気的且つ機械的に接続される。このとき、背面シールド板５２が孔４１（図４参照）を介して露出する。
なお、シールド体５とシャーシ２及びバックカバー４との接続方法は、上記の例に特に限定されず、シールド体５とシャーシ２及びバックカバー４との所定部分を溶接したり、シールド体５とシャーシ２及びバックカバー４との所定部分を嵌合させてシールド体５とシャーシ２及びバックカバー４とを密着させる等の種々の変更が可能である。
図８は、図１乃至図３に示すプラズマディスプレイ装置に用いられる各回路のシャーシ２上の配置図である。図８に示すように、シャーシ２の背面において、ＰＤＰ１のデータ電極を駆動するデータ電極駆動回路であるアドレスドライバ１４の一方が上側に、他方が下側にそれぞれ配置され、ＰＤＰ１の走査電極を駆動する走査電極駆動回路であるスキャンドライバ１２が左側に固定され、ＰＤＰ１の維持電極を駆動する維持電極駆動回路であるサステインドライバ１３が右側に固定されている。
信号処理回路１５は、チューナ回路１１により受信された映像信号に対して走査数変換処理、適応型輝度強調処理、サブフィールド変換処理等の種々の信号処理を行う回路であり、スキャンドライバ１２とサステインドライバ１３との間の上部に配置される。チューナ回路１１は、放送信号を受信する受信回路であり、スキャンドライバ１２とサステインドライバ１３との間の下部に配置される。
上記の各回路のうち、スキャンドライバ１２、サステインドライバ１３、アドレスドライバ１４及び信号処理回路１５は、主にデジタル信号を処理するデジタル回路であり、バックカバー４はこれらの回路を覆ってシールドする。一方、チューナ回路１１は、主にアナログ信号を処理するアナログ回路であり、シールド体５はチューナ回路１１を覆ってシールドする。この場合、主にアナログ信号を処理するチューナ回路１１が、他の回路より不要輻射の影響を受け易いが、後述するように、バックカバー４、シャーシ２及びシールド体５によりチューナ回路１１が充分にシールドされる。
なお、図８において電源回路等の図示を省略しているが、電源回路等もチューナ回路１１の配置領域以外のシャーシ２の背面に適宜配置されている。また、各回路の構成及び配置は、上記の例に特に限定されず、一つのアドレスドライバをシャーシ２の上部又下部に配置する等の種々の変更が可能である。
次に、上記のように構成されたプラズマディスプレイ装置のシールド作用について詳細に説明する。まず、プラズマディスプレイ装置は、ＰＤＰ１を高電圧で駆動するため、ＰＤＰ１、スキャンドライバ１２、サステインドライバ１３、アドレスドライバ１４及び信号処理回路１５から不要輻射ノイズが発生し、この不要輻射ノイズは、バックカバー４によりシールドされ、装置外部への不要輻射ノイズの輻射が防止される。
また、ＰＤＰ１を高電圧で駆動する駆動回路から不要電流がバックカバー４へ漏れ出し、特に駆動電圧の高いスキャンドライバ１２及びサステインドライバ１３から不要電流が漏れ出し易い。本実施の形態では、バックカバー４が接合片５８を介してシールド体５に電気的に接続され、シールド体５が接続片５７を介してシャーシ２に電気的に接続され、シャーシ２がアースされているので、図３に矢印で示すように、バックカバー４へ漏れ出した不要電流は、バックカバー４を介してシールド体５へ流れ、シールド体５を流れる不要電流は、アースされているシャーシ２へ還流される。
このように、シールド体５がバックカバー４とシャーシ２とのバイパス経路として機能し、その経路を短縮することができるので、不要電流を確実にアースすることができ、不要輻射ノイズの発生量を低減することができる。また、不要電流がシールド体５内部すなわちチューナ回路１１に流れ込むことを防止することができるので、チューナ回路１１に対する不要電流の悪影響を低減することができる。さらに、チューナ回路１１はシールド体５によりシールドされているので、チューナ回路１１に対する不要輻射ノイズによる悪影響を低減することができる。
上記の結果、本実施の形態では、バックカバー４及びシールド体５をシールド手段として用いるという簡略な構成によりＰＤＰ１等から外部へ放出される不要輻射ノイズを低減することができるとともに、チューナ回路１１への悪影響を防止することができる。
また、本実施の形態では、シールド体５の上面にスリット５９が形成されているので、不要電流がバックカバー４からシールド体５に流れたときに、この不要電流を最短経路でシャーシ２へ還流させることができ、不要電流による不要輻射ノイズを確実に防止することができるとともに、チューナ回路１１に対する不要電流による悪影響を確実に防止することができる。
次に、本発明の第２の実施の形態によるプラズマディスプレイ装置について説明する。図９は、本発明の第２の実施の形態によるプラズマディスプレイ装置の構成を示す断面図である。図９に示すプラズマディスプレイ装置と図１乃至図３に示すプラズマディスプレイ装置とで異なる点は、シールド体５がシールド体５ａに変更された点であり、その他の点は図１乃至図３に示すプラズマディスプレイ装置と同様であるので、同一部分には同一符号を付し、その説明を省略する。
図９に示すシールド体５ａは、導電性を有する金属体又は導電メッキを施した成形品等から構成され、チューナ回路１１を覆う第２の導電部材である。シールド体５ａの接合片５８ａは、シールド体５ａの左側面シールド板、上面シールド板、右側面シールド板及び下面シールド板の各側面に一体に設けられ、シールド体５ａの背面シールド板とバックカバー４の背面とが面一となる。
本実施の形態では、第１の実施の形態と同様の効果を得ることができるとともに、外装部品としても機能するシールド体５ａの背面シールド板とバックカバー４の背面とが面一となるので、背面の不要な凹凸がなくなり、プラズマディスプレイ装置の外観を統一感のあるものにすることができる。
次に、本発明の第３の実施の形態によるプラズマディスプレイ装置について説明する。図１０は、本発明の第３の実施の形態によるプラズマディスプレイ装置の構成を示す断面図である。図１０に示すプラズマディスプレイ装置と図１乃至図３に示すプラズマディスプレイ装置とで異なる点は、シールド体５及びバックカバー４が第１シールド体５ｂ及び第２シールド体５ｃ並びにバックカバー４ａに変更された点であり、その他の点は図１乃至図３に示すプラズマディスプレイ装置と同様であるので、同一部分には同一符号を付し、その説明を省略する。
図１０に示す第１シールド体５ｂ及び第２シールド体５ｃは、導電性を有する金属体又は導電メッキを施した成形品等から構成され、チューナ回路１１を覆う第２の導電部材である。
第１シールド体５ｂは、前面シールド板（シャーシ２側の面）、上面シールド板、下面シールド板、左側面シールド板、右側面シールド板の５面からなり、開口部を有する略直方体形状を有し、第２シールド体５ｃは、開口部を覆う背面シールド板（露出する面）からなり、バックカバー４ａ及び第１シールド体５ｂに対して取り外し可能に構成される。
第１シールド体５ｂの前面シールド板には、固定ネジを挿通するための孔が形成され、第１シールド体５ｂの前面シールド板は接合部としても機能する。第１シールド体５ｂは、その内部にチューナ回路１１が取り付けられた後、固定ネジ６ｃをシャーシ２に形成されたネジ孔に螺合するネジ固定により、シャーシ２に電気的且つ機械的に接続される。
第１シールド体５ｂの上面シールド板、下面シールド板、左側面シールド板及び右側面シールド板には、内側に延出する接続片５８ｂが一体に形成され、各接合片５８ｂには固定ネジ６ｄをネジ固定するためのネジ孔が形成されている。バックカバー４ａには、第１シールド体５ｂを挿通可能な長方形形状の孔が形成されており、孔の縁部の所定位置に固定ネジ６ｂをネジ固定するためのネジ孔が形成されおり、その他の点は図１乃至図３に示すバックカバー４と同様である。
第２シールド体５ｃは、固定ネジ６ｂ、６ｃを挿通するための孔が形成されている。第２シールド体５ｃは、固定ネジ６ａによりバックカバー４ａがシャーシ２に固定された後、固定ネジ６ｄを接合片５８ｂに形成されたネジ孔に螺合するネジ固定により、接合片５８ｂを介して第１シールド体５ｂに電気的且つ機械的に接続されるとともに、固定ネジ６ｂをバックカバー４ａに形成されたネジ孔に螺合するネジ固定により、バックカバー４ａに電気的且つ機械的に接続される。
本実施の形態では、第１の実施の形態と同様の効果を得ることができるとともに、固定ネジ６ｂ、６ｄを取り外すことにより第２シールド体５ｃを取り外すことができるので、バックカバー４ａを取り外すことなく、チューナ回路１１の調整、修理及び交換等を行うことができ、装置のメンテナンス性を向上することができる。また、固定ネジ６ｃを取り外すことにより第１シールド体５ｂも取り外すことができるので、装置のメンテナンス性をより向上することができる。
次に、本発明の第４の実施の形態によるプラズマディスプレイ装置について説明する。図１１は、本発明の第４の実施の形態によるプラズマディスプレイ装置の構成を示す断面図である。図１１に示すプラズマディスプレイ装置と図１乃至図３に示すプラズマディスプレイ装置とで異なる点は、シャーシ２、シールド体５、バックカバー４及びチューナ回路１１がシャーシ２ａ、シールド体５ｄ、バックカバー４ｂ及びチューナ回路１１ａに変更された点であり、その他の点は図１乃至図３に示すプラズマディスプレイ装置と同様であるので、同一部分には同一符号を付し、その説明を省略する。
図１１に示すシャーシ２ａには、チューナ回路１１ａと信号処理回路等の他の回路とを電気的に接続するためのコネクタ７が固定されており、シールド体５ｄをネジ固定するためのネジ孔は省略され、その他の点は図３に示すシャーシ２と同様である。
シールド体５ｄは、導電性を有する金属体又は導電メッキを施した成形品等から構成され、チューナ回路１１ａを覆う第２の導電部材である。チューナ回路１１ａには、所定形状の電気端子等から構成される被コネクタ部８が設けられ、その他の点は図３に示すチューナ回路１１と同様である。被コネクタ部８は、シールド体５ｄの前面に設けられた開口部を介してシールド体５ｄから露出している。シールド体５ｄ、チューナ回路１１ａ及び被コネクタ部８は一体に構成されており、一つのモジュールとして取り扱うことができる。
バックカバー４ｂには、シールド体５ｄの側面と係合する長方形形状の孔が形成されており、シールド体５ｄをネジ固定するための孔は省略され、その他の点は図３に示すバックカバー４と同様である。この孔を介してシールド体５ｄをシャーシ２ａ側に挿入し、被コネクタ部８をコネクタ７に嵌入することにより、チューナ回路１１と他の回路とが電気的に接続されるとともに、シールド体５ｄがシャーシ２ａ及びバックカバー４ｂに対して機械的に固定される。
このとき、シールド体５ｄの前面がシャーシ２ａに密着するとともに、シールド体５ｄの接続片５８ｂがバックカバー４ｂに密着し、シールド体５ｄをシャーシ２ａ及びバックカバー４ｂに電気的に接続することができる。
本実施の形態では、第１の実施の形態と同様の効果を得ることができるとともに、バックカバー４ｂを取り外すことなく、シールド体５ｄ、チューナ回路１１ａ及び被コネクタ部８を一つのモジュールとしてシャーシ２ａに対して着脱することができ、チューナ回路１１の調整、修理及び交換等をより容易に行うことができる。また、固定ネジ等を用いていないため、製造工程を簡略化することができる。
なお、本実施の形態では、シールド体５ｄ、チューナ回路１１ａ及び被コネクタ部８を一つのモジュールとしてプラズマディスプレイ装置の背面から着脱可能に構成したが、着脱方向はこの例に特に限定されず、プラズマディスプレイ装置の背面の下部方向から着脱可能に構成する等の種々の変更が可能である。
また、上記の各実施の形態では、一つのシールド体５を用いてチューナ回路をシールドしたが、この例に特に限定されず、チューナ回路以外の回路を、シールド体を用いて個別にシールドしたり、チューナ回路と他の回路と又は複数の他の回路を一つのシールド体でシールドしたりする等の種々の変更が可能である。
【産業上の利用可能性】  上記のように、本発明によれば、簡略な構成でプラズマディスプレイ装置から外部へ放出される不要輻射ノイズを低減することができるとともに、内部回路への悪影響を低減することができ、高電圧駆動されるプラズマディスプレイを用いたプラズマディスプレイ装置等に好適に利用することができる。
【図１】
2005022493.tif 000003
【図２】
2005022493.tif 000004
【図３】
2005022493.tif 000005
【図４】
2005022493.tif 000006
【図５】
2005022493.tif 000007
【図６】
2005022493.tif 000008
【図７】
2005022493.tif 000009
【図８】
2005022493.tif 000010
【図９】
2005022493.tif 000011
【図１０】
2005022493.tif 000012
【図１１】
2005022493.tif 000013
【手続補正書】
【提出日】平成18年2月3日(2006.2.3)
【手続補正１】
【補正対象書類名】特許請求の範囲
【補正対象項目名】全文
【補正方法】変更
【補正の内容】
【特許請求の範囲】
【請求項１】
プラズマディスプレイと、
前記プラズマディスプレイを支持し且つ導電性を有する支持部材と、
前記プラズマディスプレイに映像を表示するための電気回路と、
前記支持部材及び前記電気回路の少なくとも一部を覆う第１の導電部材と、
前記電気回路の一部を覆う第２の導電部材とを備え、
前記第２の導電部材は、前記支持部材及び第１の導電部材に電気的に接続されることを特徴とするプラズマディスプレイ装置。
【請求項２】
前記電気回路は、
主にデジタル信号を処理するデジタル回路と、
主にアナログ信号を処理するアナログ回路とを含み、
前記第１の導電部材は、前記支持部材及び前記デジタル回路を覆い、
前記第２の導電部材は、前記アナログ回路を覆うことを特徴とする請求項１記載のプラズマディスプレイ装置。
【請求項３】
前記電気回路は、
前記プラズマディスプレイを駆動する駆動回路と、
放送信号を受信する受信回路とを含み、
前記第１の導電部材は、前記支持部材及び前記駆動回路を覆い、
前記第２の導電部材は、前記受信回路を覆うことを特徴とする請求項１記載のプラズマディスプレイ装置。
【請求項４】
前記駆動回路は、
前記プラズマディスプレイのデータ電極を駆動するデータ電極駆動回路と、
前記プラズマディスプレイの走査電極を駆動する走査電極駆動回路と、
前記プラズマディスプレイの維持電極を駆動する維持電極駆動回路とを含み、
前記データ電極駆動回路、前記走査電極駆動回路及び前記維持電極駆動回路は、前記支持部材の外周部に配置され、
前記受信回路は、前記支持部材の中央付近に配置されることを特徴とする請求項３記載のプラズマディスプレイ装置。
【請求項５】
前記支持部材は、前記電気回路の接地電位に接続されることを特徴とする請求項１記載のプラズマディスプレイ装置。
【請求項６】
前記第２の導電部材には、前記第１の導電部材と接合するための第１の接合部が設けられるとともに、前記支持部材と接合するための第２の接合部が設けられることを特徴とする請求項１記載のプラズマディスプレイ装置。
【請求項７】
前記第２の導電部材は、前記第１の接合部を介して前記第１の導電部材にネジ固定されるとともに、前記第２の接合部を介して前記支持部材にネジ固定されることを特徴とする請求項６に記載のプラズマディスプレイ装置。
【請求項８】
前記第１の導電部材には開口部が形成されており、前記開口部から前記第２の導電部材の一部が露出することを特徴とする請求項１記載のプラズマディスプレイ装置。
【請求項９】
前記第２の導電部材は、
前記支持部材に接続される第１のシールド部材と、
前記第１のシールド部材に対して着脱可能に構成された第２のシールド部材とを含むことを特徴とする請求項８記載のプラズマディスプレイ装置。
【請求項１０】
前記第２の導電部材は、前記開口部を介して前記支持部材及び前記第１の導電部材から取り外し可能に構成されることを特徴とする請求項８記載のプラズマディスプレイ装置。
【請求項１１】
前記第２の導電部材は、
前記開口部を介して前記第１の導電部材の内部に挿入可能な第１のシールド部材と、
前記第１のシールド部材に対して着脱可能に構成された第２のシールド部材とを含むことを特徴とする請求項１０記載のプラズマディスプレイ装置。
【請求項１２】
前記第２の導電部材は、不要電流の流れる方向に沿ってスリットが形成されることを特徴とする請求項１記載のプラズマディスプレイ装置。
【請求項１３】
前記電気回路は、
前記プラズマディスプレイを駆動する第１及び第２の駆動回路と、
前記第１及び第２の駆動回路の間に配置され、放送信号を受信する受信回路とを含み、
前記第１の導電部材は、前記支持部材及び前記第１及び第２の駆動回路を覆い、
前記第２の導電部材は、
前記第１の駆動回路と前記受信回路との間に配置される第１のシールド板と、
前記第２の駆動回路と前記受信回路との間に配置される第２のシールド板と、
前記第１のシールド板の一端と前記第２のシールド板の一端との間に配置される第３のシールド板と、
前記第１のシールド板の他端と前記第２のシールド板の他端との間に配置される第４のシールド板とを含み、
前記第３及び第４のシールド板の少なくとも一方には、その端部付近にスリットが形成されることを特徴とする請求項１記載のプラズマディスプレイ装置。
【請求項１４】
前記第１の駆動回路は、前記プラズマディスプレイの走査電極を駆動する走査電極駆動回路を含み、
前記第２の駆動回路は、前記プラズマディスプレイの維持電極を駆動する維持電極駆動回路を含むことを特徴とする請求項１３記載のプラズマディスプレイ装置。
【手続補正２】
【補正対象書類名】明細書
【補正対象項目名】全文
【補正方法】変更
【補正の内容】
【発明の詳細な説明】
【技術分野】
【０００１】
本発明は、高電圧駆動されるプラズマディスプレイを用いたプラズマディスプレイ装置に関するものである。
【背景技術】
【０００２】
プラズマディスプレイ（以下、ＰＤＰと略す）を用いた従来のプラズマディスプレイ装置として、例えば、特許文献１に開示されるものがあり、ＰＤＰを駆動するための駆動回路と、該回路等に種々の電圧を供給する電源回路とが、ＰＤＰの背面に取り付けられ、ＰＤＰを電磁的にシールドするために、ＰＤＰを全体的に覆う導電体と、駆動回路を覆う導電体と、電源回路を覆う導電体とが、個別に設けられる。
【０００３】
上記のシールド構造により、ＰＤＰ、駆動回路及び電源回路が個別にシールドされ、ＰＤＰから発生される不要輻射ノイズが駆動回路に到達して駆動回路の信号にノイズが乗ることを防止することができ、表示画面のノイズを低減することができる。
【特許文献１】特開平１０−１１７０８１号公報
【発明の開示】
【発明が解決しようとする課題】
【０００４】
しかしながら、上記のようにＰＤＰ、駆動回路及び電源回路を個別にシールドしたのでは、シールド構造が複雑になり、シールド部品の部品点数が増加するとともに、シールド部品を取り付けるための製造工数も増加し、プラズマディスプレイ装置のコストが増大する。
【０００５】
また、近年では、放送信号を受信するチューナ回路を駆動回路とともに内部に取り付けたチューナ一体型のプラズマディスプレイ装置が開発されている。この場合、駆動回路等から漏れ出る不要電流がＰＤＰを覆う導電体に流れて不要輻射を発生させ、アナログ信号を扱うアナログ回路、特にチューナ回路の信号に不要輻射ノイズが乗り易くなる。この結果、表示画像にノイズが発生したり、周辺機器へ悪影響を与えたりすることとなる。
【０００６】
本発明の目的は、簡略な構成でプラズマディスプレイ装置から外部へ放出される不要輻射ノイズを低減することができるとともに、不要輻射ノイズによる内部回路への悪影響を低減することができるプラズマディスプレイ装置に関するものである。
【課題を解決するための手段】
【０００７】
本発明の一局面に従うプラズマディスプレイ装置は、プラズマディスプレイと、プラズマディスプレイを支持し且つ導電性を有する支持部材と、プラズマディスプレイに映像を表示するための電気回路と、支持部材及び電気回路の少なくとも一部を覆う第１の導電部材と、電気回路の一部を覆う第２の導電部材とを備え、第２の導電部材は、支持部材及び第１の導電部材に電気的に接続される。
【０００８】
このプラズマディスプレイ装置では、プラズマディスプレイ及び電気回路から発生する不要輻射ノイズが第１の導電部材によりシールドされ、外部への不要輻射ノイズを低減することができる。また、第１の導電部材が第２の導電部材に電気的に接続されるとともに、第２の導電部材が支持部材に電気的に接続されているので、電気回路のうち駆動回路等から不要電流が漏れ出たとしても、不要電流が第１の導電部材、第２の導電部材、支持部材の順に流れるので、不要電流により発生される不要輻射ノイズが外部へ放出されることを抑制することができるとともに、不要電流が第２の導電部材に覆われている回路へ流れ込むことを抑制して当該回路に対する不要電流による悪影響を低減することができる。さらに、第２の導電部材に覆われている回路は第２の導電部材によりシールドされているので、当該回路に対する不要輻射ノイズによる悪影響も低減することができる。この結果、第１及び第２の導電部材を用いるという簡略な構成でプラズマディスプレイ装置から外部へ放出される不要輻射ノイズを低減することができるとともに、不要輻射ノイズによる内部回路への悪影響を低減することができる。
【０００９】
電気回路は、主にデジタル信号を処理するデジタル回路と、主にアナログ信号を処理するアナログ回路とを含み、第１の導電部材は、支持部材及びデジタル回路を覆い、第２の導電部材は、アナログ回路を覆うことが好ましい。
【００１０】
この場合、不要輻射ノイズの影響を受け易いアナログ回路が第２の導電部材により充分にシールドされるので、デジタル回路から不要電流が漏れ出たとしても、アナログ回路に対する不要輻射ノイズによる悪影響を充分に低減することができる。
【００１１】
電気回路は、プラズマディスプレイを駆動する駆動回路と、放送信号を受信する受信回路とを含み、第１の導電部材は、支持部材及び駆動回路を覆い、第２の導電部材は、受信回路を覆うことが好ましい。
【００１２】
この場合、不要輻射ノイズの影響を受け易い受信回路が第２の導電部材により充分にシールドされるので、駆動回路から不要電流が漏れ出たとしても、受信回路に対する不要輻射ノイズによる悪影響を充分に低減することができる。
【００１３】
駆動回路は、プラズマディスプレイのデータ電極を駆動するデータ電極駆動回路と、プラズマディスプレイの走査電極を駆動する走査電極駆動回路と、プラズマディスプレイの維持電極を駆動する維持電極駆動回路とを含み、データ電極駆動回路、走査電極駆動回路及び維持電極駆動回路は、支持部材の外周部に配置され、受信回路は、支持部材の中央付近に配置されることが好ましい。
【００１４】
この場合、データ電極駆動回路、走査電極駆動回路及び維持電極駆動回路から漏れ出る不要電流が第１の導電部材、第２の導電部材、支持部材の順に流れるとともに、受信回路が第２の導電部材により充分にシールドされるので、不要電流により発生される不要輻射ノイズが外部へ放出されることを抑制することができるとともに、不要輻射の影響を受け易い受信回路に対する不要輻射ノイズによる悪影響を低減することができる。
【００１５】
支持部材は、電気回路の接地電位に接続されることが好ましい。
【００１６】
この場合、電気回路のうち駆動回路等から漏れ出る不要電流が第１の導電部材、第２の導電部材、支持部材の順に流れ、最終的に支持部材に還流されてアースされるので、不要電流により発生される不要輻射ノイズが外部へ放出されることを防止することができるとともに、不要電流が第２の導電部材に覆われている回路へ流れ込むことを防止することができる。
【００１７】
第２の導電部材には、第１の導電部材と接合するための第１の接合部が設けられるとともに、支持部材と接合するための第２の接合部が設けられることが好ましい。
【００１８】
この場合、接合部により第１及び第２の導電部材を電気的且つ機械的に確実に接続することができる。
【００１９】
第２の導電部材は、第１の接合部を介して第１の導電部材にネジ固定されるとともに、第２の接合部を介して支持部材にネジ固定されることが好ましい。
【００２０】
この場合、ネジ固定により第１及び第２の導電部材を電気的且つ機械的に強固に接続することができる。
【００２１】
第１の導電部材には開口部が形成されており、開口部から第２の導電部材の一部が露出することが好ましい。
【００２２】
この場合、第１の導電部材を取り外すことなく、開口部から第２の導電部材を取り外したり、開口部から第２の導電部材の内部回路を調整等したりすることが可能となり、第２の導電部材の内部回路に対するメンテナンス性を向上することができる。
【００２３】
第２の導電部材は、支持部材に接続される第１のシールド部材と、第１のシールド部材に対して着脱可能に構成された第２のシールド部材とを含むことが好ましい。
【００２４】
この場合、第１のシールド部材を支持部材に接続したまま第２のシールド部材を取り外すことにより第２の導電部材の内部回路を調整等したりすることが可能となり、第２の導電部材の内部回路に対するメンテナンス性をより向上することができる。
【００２５】
第２の導電部材は、開口部を介して支持部材及び第１の導電部材から取り外し可能に構成されることが好ましい。
【００２６】
この場合、第１の導電部材を取り外すことなく、開口部を介して第２の導電部材を取り外すことができ、第２の導電部材及びその内部回路の交換が容易となる。
【００２７】
第２の導電部材は、開口部を介して第１の導電部材の内部に挿入可能な第１のシールド部材と、第１のシールド部材に対して着脱可能に構成された第２のシールド部材とを含むことが好ましい。
【００２８】
この場合、第１の導電部材を取り外すことなく、第１のシールド部材を支持部材に固定したまま第２のシールド部材を取り外すことにより第２の導電部材の内部回路を調整等することが可能となり、第２の導電部材の内部回路に対するメンテナンス性をさらに向上することができる。
【００２９】
第２の導電部材は、不要電流の流れる方向に沿ってスリットが形成されることが好ましい。
【００３０】
この場合、不要電流の流れる方向に沿ってスリットが形成されているので、電気回路のうち駆動回路等から漏れ出る不要電流を第２の導電部材から支持部材に確実に流すことができ、この不要電流による不要輻射ノイズを防止することができる。
【００３１】
電気回路は、プラズマディスプレイを駆動する第１及び第２の駆動回路と、第１及び第２の駆動回路の間に配置され、放送信号を受信する受信回路とを含み、第１の導電部材は、支持部材及び第１及び第２の駆動回路を覆い、第２の導電部材は、第１の駆動回路と受信回路との間に配置される第１のシールド板と、第２の駆動回路と受信回路との間に配置される第２のシールド板と、第１のシールド板の一端と第２のシールド板の一端との間に配置される第３のシールド板と、第１のシールド板の他端と第２のシールド板の他端との間に配置される第４のシールド板とを含み、第３及び第４のシールド板の少なくとも一方には、その端部付近にスリットが形成されることが好ましい。
【００３２】
この場合、第３及び第４のシールド板の少なくとも一方には、その端部付近にスリットが形成されているので、第１及び第２の駆動回路から漏れ出る不要電流が第１の導電部材、第２の導電部材の第１及び第２のシールド板、支持部材の順に確実に流れ、不要電流による不要輻射ノイズを確実に防止することができるとともに、受信回路が第２の導電部材の第１乃至第４のシールド板により充分にシールドされるので、受信回路に対する不要輻射ノイズによる悪影響を確実に防止することができる。
【００３３】
第１の駆動回路は、プラズマディスプレイの走査電極を駆動する走査電極駆動回路を含み、第２の駆動回路は、プラズマディスプレイの維持電極を駆動する維持電極駆動回路を含むことが好ましい。
【００３４】
この場合、高電圧駆動される走査電極駆動回路及び維持電極駆動回路から漏れ出る不要電流が第１の導電部材、第２の導電部材の第１及び第２のシールド板、支持部材の順に確実に流れ、不要電流による不要輻射ノイズを確実に防止することができるとともに、受信回路が第２の導電部材の第１乃至第４のシールド板により充分にシールドされるので、受信回路に対する不要輻射ノイズによる悪影響を防止することができる。
【発明の効果】
【００３５】
本発明によれば、第１及び第２の導電部材を用いるという簡略な構成でプラズマディスプレイ装置から外部へ放出される不要輻射ノイズを低減することができるとともに、不要輻射ノイズによる内部回路への悪影響を低減することができる。
【発明を実施するための最良の形態】
【００３６】
以下、本発明に係るプラズマディスプレイ装置について説明する。図１は、本発明の第１の実施の形態によるプラズマディスプレイ装置の背面を示す斜視図であり、図２は、同装置の前面を示す斜視図であり、図３は、同装置の構成を示す断面図であり、図１に示すＩ−Ｉ線断面図である。
【００３７】
図１乃至図３に示すプラズマディスプレイ装置は、プラズマディスプレイパネル（以下、ＰＤＰと略す）１、シャーシ２、フロントカバー３、バックカバー４、シールド体５、固定ネジ６ａ〜６ｃ、チューナ回路１１、スキャンドライバ１２及びサステインドライバ１３を備える。
【００３８】
ＰＤＰ１は、長方形形状を有し、シャーシ２の前面に固定される。ＰＤＰ１は、ガラス製の表面基板及び背面基板を備え、これらの間に、画面の垂直方向に配列される複数のデータ電極並びに画面の水平方向に配列される複数の走査電極及び複数の維持電極が配置されたものである。各電極の交点には放電セルが形成され、ＰＤＰ１は、放電セルを放電させることにより種々の画面を表示する。
【００３９】
シャーシ２は、導電性を有する金属から構成され、例えば、固定用リブ等を適宜配置した略長方形形状を有するアルミダイカスト部品から構成され、ＰＤＰ１等を支持する支持部材である。シャーシ２は、スキャンドライバ１２及びサステインドライバ１３等の電気回路の接地電位に接続されてアースされている。
【００４０】
フロントカバー３は、ＰＤＰ１の表示画面を残してその縁部を覆うように、ネジ固定等の固定手段（図示省略）を用いてシャーシ２に固定される。フロントカバー３は、導電性を有する金属体又は導電メッキを施した成形品等から構成される。
【００４１】
スキャンドライバ１２及びサステインドライバ１３は、シャーシ２の背面の左側及び右側に固定され、チューナ回路１１は、シールド体５の内部に固定される。シールド体５は、ネジ６ｃを用いてシャーシ２の背面の中央下部にネジ固定され、バックカバー４は、ネジ６ａを用いてシャーシ２にネジ固定されるとともに、ネジ６ｂを用いてシールド体５にネジ固定される。
【００４２】
図４は、図１乃至図３に示すバックカバー４の斜視図である。図４に示すように、バックカバー４は、四方のテーパ面からなる凸部を有し、この凸部により形成される空間内にスキャンドライバ１２及びサステインドライバ１３等が配置される。バックカバー４は、導電性を有する金属体又は導電メッキを施した成形品等から構成され、シャーシ２、スキャンドライバ１２及びサステインドライバ１３等を覆う第１の導電部材である。このように、第１の導電部材であるバックカバー４が支持部材であるシャーシ２及び電気回路の一部であるスキャンドライバ１２及びサステインドライバ１３等を覆っているので、第１の導電部材が支持部材及び電気回路の一部を覆うこととなる。
【００４３】
バックカバー４の中央下部には、開口部となる長方形形状の孔４１が形成され、孔４１の縁部の所定位置に固定ネジ６ｂを挿通するための孔が形成されている。シールド体５の背面は孔４１から露出され、シールド体５の背面はシールド機能を果たすとともに外装面として共用される。
【００４４】
このように、孔４１からシールド体５の背面が露出しているので、孔４１を介してシールド体５又はその一部が取り外し可能に構成されている場合、孔４１を介してシールド体５又はその内部のチューナ回路１１のメンテナンス作業等を行うことが可能となる。
【００４５】
なお、孔の位置、数及び形状等は上記の例に特に限定されず、種々の変更が可能であり、バックカバー４によるシールド効果を高めるために孔を省略したり、２個以上の孔を設けるようにしたりしてもよい。このように、バックカバー４に孔４１を設けず、バックカバー４がシャーシ２及びチューナ回路１１を含む全ての電気回路を覆ってもよく、この場合、第１の導電部材が支持部材及び電気回路の全てを覆うこととなる。
【００４６】
図５は、図１乃至図３に示すシールド体５の斜視図である。シールド体５は、導電性を有する金属体又は導電メッキを施した成形品等から構成され、チューナ回路１１を覆う第２の導電部材である。このように、第２の導電部材であるシールド体５が電気回路の一部であるチューナ回路１１を覆っているので、第２の導電部材が電気回路の一部を覆うこととなる。
【００４７】
図５に示すように、シールド体５は、略直方体形状を有し、前面シールド板５１（シャーシ２側の面）、背面シールド板５２（孔４１から露出する面）、上面シールド板５３、下面シールド板５４、左側面シールド板５５、右側面シールド板５６の６面のシールド部材からなり、その内部にチューナ回路１１が収納される。
【００４８】
左側面シールド板５５は、スキャンドライバ１２とチューナ回路１１との間に配置され、右側面シールド板５６は、サステインドライバ１３とチューナ回路１１との間に配置され、上面シールド板５３は、左側面シールド板５５の上端と右側面シールド板５６の上端との間に配置され、下面シールド板５４は、左側面シールド板５５の下端と右側面シールド板５６の下端との間に配置され、前面シールド板５１及び背面シールド板５２は、左側面シールド板５５、上面シールド板５３、右側面シールド板５６及び下面シールド板５４とともに直方体を形成する位置に配置される。
【００４９】
前面シールド板５１には、前面シールド板５１に沿って延出する４つの接合片５７が一体に設けられ、各接合片５７の両端部には固定ネジ６ｃを挿通するための孔が形成されている。接合片５７は、シールド体５とシャーシ２とを接合するための第１の接合部である。
【００５０】
背面シールド板５２の各辺には、背面シールド板５２に沿って延出する接合片５８が一体に設けられ、各接合片５８には固定ネジ６ｂと螺合するネジ孔が形成されている。接合片５８は、シールド体５とバックカバー４とを接合するための第２の接合部である。
【００５１】
なお、シールド体の形状等は、上記の例に特に限定されず、直方体に凹部、凸部、切り欠き、孔等を適宜設けてもよい。また、接合片の形状及び数等は、上記の例に特に限定されず、シールド体をシャーシ及びバックカバーに電気的且つ機械的に接続できれば、シールド体の前面及び／又は背面のすべての辺に接続辺を設けたり、シールド体の左側面、上面、右側面及び下面に接合辺を設けたりする等の種々の変更が可能である。また、外部へ突出する接合片を設けることなく、シールド体の前面及び背面等の一部を接合片として兼用してもよい。
【００５２】
上面シールド板５３の両端部近傍には、帯状の切り欠きによりスリット５９が形成されている。スリット５９は、スキャンドライバ１２及びサステインドライバ１３等から漏れ出る不要電流の流れる方向、すなわちシャーシ２に対して垂直な方向に沿って形成され、スリット５９の一方端側に流れる不要電流は他端側に流れることなく、不要電流は最短距離でシャーシ２へ還流される。
【００５３】
なお、スリットの形状、形成位置及び数は、上記の例に特に限定されず、下面に形成したり、左側面と上面との接合位置及び／又は右側面と上面との接合位置に形成したり、１個又は３個以上のスリットを形成したりする等の種々の変更が可能である。
【００５４】
図６は、図５に示すシールド体５をシャーシ２に取り付けた状態を示す平面図である。なお、図６では、取り付け状態を明確に示すために接合片５８の図示を省略している。シールド体５は、その内部にチューナ回路１１が取り付けられた後、固定ネジ６ｃをシャーシ２に形成されたネジ孔に螺合するネジ固定により、接合片５７を介してシャーシ２に電気的且つ機械的に接続される。
【００５５】
図７は、図５に示すシールド体５にバックカバー４を取り付けた状態を示す平面図である。シールド体５は、バックカバー４がシャーシ２に固定された後、固定ネジ６ｂを接合片５８に形成されたネジ孔に螺合するネジ固定により、接合片５８を介してバックカバー４に電気的且つ機械的に接続される。このとき、背面シールド板５２が孔４１（図４参照）を介して露出する。
【００５６】
なお、シールド体５とシャーシ２及びバックカバー４との接続方法は、上記の例に特に限定されず、シールド体５とシャーシ２及びバックカバー４との所定部分を溶接したり、シールド体５とシャーシ２及びバックカバー４との所定部分を嵌合させてシールド体５とシャーシ２及びバックカバー４とを密着させる等の種々の変更が可能である。
【００５７】
図８は、図１乃至図３に示すプラズマディスプレイ装置に用いられる各回路のシャーシ２上の配置図である。図８に示すように、シャーシ２の背面において、ＰＤＰ１のデータ電極を駆動するデータ電極駆動回路であるアドレスドライバ１４の一方が上側に、他方が下側にそれぞれ配置され、ＰＤＰ１の走査電極を駆動する走査電極駆動回路であるスキャンドライバ１２が左側に固定され、ＰＤＰ１の維持電極を駆動する維持電極駆動回路であるサステインドライバ１３が右側に固定されている。
【００５８】
信号処理回路１５は、チューナ回路１１により受信された映像信号に対して走査数変換処理、適応型輝度強調処理、サブフィールド変換処理等の種々の信号処理を行う回路であり、スキャンドライバ１２とサステインドライバ１３との間の上部に配置される。チューナ回路１１は、放送信号を受信する受信回路であり、スキャンドライバ１２とサステインドライバ１３との間の下部に配置される。
【００５９】
上記の各回路のうち、スキャンドライバ１２、サステインドライバ１３、アドレスドライバ１４及び信号処理回路１５は、主にデジタル信号を処理するデジタル回路であり、バックカバー４はこれらの回路を覆ってシールドする。一方、チューナ回路１１は、主にアナログ信号を処理するアナログ回路であり、シールド体５はチューナ回路１１を覆ってシールドする。この場合、主にアナログ信号を処理するチューナ回路１１が、他の回路より不要輻射の影響を受け易いが、後述するように、バックカバー４、シャーシ２及びシールド体５によりチューナ回路１１が充分にシールドされる。
【００６０】
なお、図８において電源回路等の図示を省略しているが、電源回路等もチューナ回路１１の配置領域以外のシャーシ２の背面に適宜配置されている。また、各回路の構成及び配置は、上記の例に特に限定されず、一つのアドレスドライバをシャーシ２の上部又下部に配置する等の種々の変更が可能である。
【００６１】
次に、上記のように構成されたプラズマディスプレイ装置のシールド作用について詳細に説明する。まず、プラズマディスプレイ装置は、ＰＤＰ１を高電圧で駆動するため、ＰＤＰ１、スキャンドライバ１２、サステインドライバ１３、アドレスドライバ１４及び信号処理回路１５から不要輻射ノイズが発生し、この不要輻射ノイズは、バックカバー４によりシールドされ、装置外部への不要輻射ノイズの輻射が防止される。
【００６２】
また、ＰＤＰ１を高電圧で駆動する駆動回路から不要電流がバックカバー４へ漏れ出し、特に駆動電圧の高いスキャンドライバ１２及びサステインドライバ１３から不要電流が漏れ出し易い。本実施の形態では、バックカバー４が接合片５８を介してシールド体５に電気的に接続され、シールド体５が接続片５７を介してシャーシ２に電気的に接続され、シャーシ２がアースされているので、図３に矢印で示すように、バックカバー４へ漏れ出した不要電流は、バックカバー４を介してシールド体５へ流れ、シールド体５を流れる不要電流は、アースされているシャーシ２へ還流される。
【００６３】
このように、シールド体５がバックカバー４とシャーシ２とのバイパス経路として機能し、その経路を短縮することができるので、不要電流を確実にアースすることができ、不要輻射ノイズの発生量を低減することができる。また、不要電流がシールド体５内部すなわちチューナ回路１１に流れ込むことを防止することができるので、チューナ回路１１に対する不要電流の悪影響を低減することができる。さらに、チューナ回路１１はシールド体５によりシールドされているので、チューナ回路１１に対する不要輻射ノイズによる悪影響を低減することができる。
【００６４】
上記の結果、本実施の形態では、バックカバー４及びシールド体５をシールド手段として用いるという簡略な構成によりＰＤＰ１等から外部へ放出される不要輻射ノイズを低減することができるとともに、チューナ回路１１への悪影響を防止することができる。
【００６５】
また、本実施の形態では、シールド体５の上面にスリット５９が形成されているので、不要電流がバックカバー４からシールド体５に流れたときに、この不要電流を最短経路でシャーシ２へ還流させることができ、不要電流による不要輻射ノイズを確実に防止することができるとともに、チューナ回路１１に対する不要電流による悪影響を確実に防止することができる。
【００６６】
次に、本発明の第２の実施の形態によるプラズマディスプレイ装置について説明する。図９は、本発明の第２の実施の形態によるプラズマディスプレイ装置の構成を示す断面図である。図９に示すプラズマディスプレイ装置と図１乃至図３に示すプラズマディスプレイ装置とで異なる点は、シールド体５がシールド体５ａに変更された点であり、その他の点は図１乃至図３に示すプラズマディスプレイ装置と同様であるので、同一部分には同一符号を付し、その説明を省略する。
【００６７】
図９に示すシールド体５ａは、導電性を有する金属体又は導電メッキを施した成形品等から構成され、チューナ回路１１を覆う第２の導電部材である。シールド体５ａの接合片５８ａは、シールド体５ａの左側面シールド板、上面シールド板、右側面シールド板及び下面シールド板の各側面に一体に設けられ、シールド体５ａの背面シールド板とバックカバー４の背面とが面一となる。
【００６８】
本実施の形態では、第１の実施の形態と同様の効果を得ることができるとともに、外装部品としても機能するシールド体５ａの背面シールド板とバックカバー４の背面とが面一となるので、背面の不要な凹凸がなくなり、プラズマディスプレイ装置の外観を統一感のあるものにすることができる。
【００６９】
次に、本発明の第３の実施の形態によるプラズマディスプレイ装置について説明する。図１０は、本発明の第３の実施の形態によるプラズマディスプレイ装置の構成を示す断面図である。図１０に示すプラズマディスプレイ装置と図１乃至図３に示すプラズマディスプレイ装置とで異なる点は、シールド体５及びバックカバー４が第１シールド体５ｂ及び第２シールド体５ｃ並びにバックカバー４ａに変更された点であり、その他の点は図１乃至図３に示すプラズマディスプレイ装置と同様であるので、同一部分には同一符号を付し、その説明を省略する。
【００７０】
図１０に示す第１シールド体５ｂ及び第２シールド体５ｃは、導電性を有する金属体又は導電メッキを施した成形品等から構成され、チューナ回路１１を覆う第２の導電部材である。
【００７１】
第１シールド体５ｂは、前面シールド板（シャーシ２側の面）、上面シールド板、下面シールド板、左側面シールド板、右側面シールド板の５面からなり、開口部を有する略直方体形状を有し、第２シールド体５ｃは、開口部を覆う背面シールド板（露出する面）からなり、バックカバー４ａ及び第１シールド体５ｂに対して取り外し可能に構成される。
【００７２】
第１シールド体５ｂの前面シールド板には、固定ネジを挿通するための孔が形成され、第１シールド体５ｂの前面シールド板は接合部としても機能する。第１シールド体５ｂは、その内部にチューナ回路１１が取り付けられた後、固定ネジ６ｃをシャーシ２に形成されたネジ孔に螺合するネジ固定により、シャーシ２に電気的且つ機械的に接続される。
【００７３】
第１シールド体５ｂの上面シールド板、下面シールド板、左側面シールド板及び右側面シールド板には、内側に延出する接続片５８ｂが一体に形成され、各接合片５８ｂには固定ネジ６ｄをネジ固定するためのネジ孔が形成されている。バックカバー４ａには、第１シールド体５ｂを挿通可能な長方形形状の孔が形成されており、孔の縁部の所定位置に固定ネジ６ｂをネジ固定するためのネジ孔が形成されおり、その他の点は図１乃至図３に示すバックカバー４と同様である。
【００７４】
第２シールド体５ｃは、固定ネジ６ｂ、６ｃを挿通するための孔が形成されている。第２シールド体５ｃは、固定ネジ６ａによりバックカバー４ａがシャーシ２に固定された後、固定ネジ６ｄを接合片５８ｂに形成されたネジ孔に螺合するネジ固定により、接合片５８ｂを介して第１シールド体５ｂに電気的且つ機械的に接続されるとともに、固定ネジ６ｂをバックカバー４ａに形成されたネジ孔に螺合するネジ固定により、バックカバー４ａに電気的且つ機械的に接続される。
【００７５】
本実施の形態では、第１の実施の形態と同様の効果を得ることができるとともに、固定ネジ６ｂ、６ｄを取り外すことにより第２シールド体５ｃを取り外すことができるので、バックカバー４ａを取り外すことなく、チューナ回路１１の調整、修理及び交換等を行うことができ、装置のメンテナンス性を向上することができる。また、固定ネジ６ｃを取り外すことにより第１シールド体５ｂも取り外すことができるので、装置のメンテナンス性をより向上することができる。
【００７６】
次に、本発明の第４の実施の形態によるプラズマディスプレイ装置について説明する。図１１は、本発明の第４の実施の形態によるプラズマディスプレイ装置の構成を示す断面図である。図１１に示すプラズマディスプレイ装置と図１乃至図３に示すプラズマディスプレイ装置とで異なる点は、シャーシ２、シールド体５、バックカバー４及びチューナ回路１１がシャーシ２ａ、シールド体５ｄ、バックカバー４ｂ及びチューナ回路１１ａに変更された点であり、その他の点は図１乃至図３に示すプラズマディスプレイ装置と同様であるので、同一部分には同一符号を付し、その説明を省略する。
【００７７】
図１１に示すシャーシ２ａには、チューナ回路１１ａと信号処理回路等の他の回路とを電気的に接続するためのコネクタ７が固定されており、シールド体５ｄをネジ固定するためのネジ孔は省略され、その他の点は図３に示すシャーシ２と同様である。
【００７８】
シールド体５ｄは、導電性を有する金属体又は導電メッキを施した成形品等から構成され、チューナ回路１１ａを覆う第２の導電部材である。チューナ回路１１ａには、所定形状の電気端子等から構成される被コネクタ部８が設けられ、その他の点は図３に示すチューナ回路１１と同様である。被コネクタ部８は、シールド体５ｄの前面に設けられた開口部を介してシールド体５ｄから露出している。シールド体５ｄ、チューナ回路１１ａ及び被コネクタ部８は一体に構成されており、一つのモジュールとして取り扱うことができる。
【００７９】
バックカバー４ｂには、シールド体５ｄの側面と係合する長方形形状の孔が形成されており、シールド体５ｄをネジ固定するための孔は省略され、その他の点は図３に示すバックカバー４と同様である。この孔を介してシールド体５ｄをシャーシ２ａ側に挿入し、被コネクタ部８をコネクタ７に嵌入することにより、チューナ回路１１と他の回路とが電気的に接続されるとともに、シールド体５ｄがシャーシ２ａ及びバックカバー４ｂに対して機械的に固定される。
【００８０】
このとき、シールド体５ｄの前面がシャーシ２ａに密着するとともに、シールド体５ｄの接続片５８ｂがバックカバー４ｂに密着し、シールド体５ｄをシャーシ２ａ及びバックカバー４ｂに電気的に接続することができる。
【００８１】
本実施の形態では、第１の実施の形態と同様の効果を得ることができるとともに、バックカバー４ｂを取り外すことなく、シールド体５ｄ、チューナ回路１１ａ及び被コネクタ部８を一つのモジュールとしてシャーシ２ａに対して着脱することができ、チューナ回路１１の調整、修理及び交換等をより容易に行うことができる。また、固定ネジ等を用いていないため、製造工程を簡略化することができる。
【００８２】
なお、本実施の形態では、シールド体５ｄ、チューナ回路１１ａ及び被コネクタ部８を一つのモジュールとしてプラズマディスプレイ装置の背面から着脱可能に構成したが、着脱方向はこの例に特に限定されず、プラズマディスプレイ装置の背面の下部方向から着脱可能に構成する等の種々の変更が可能である。
【００８３】
また、上記の各実施の形態では、一つのシールド体５を用いてチューナ回路をシールドしたが、この例に特に限定されず、チューナ回路以外の回路を、シールド体を用いて個別にシールドしたり、チューナ回路と他の回路と又は複数の他の回路を一つのシールド体でシールドしたりする等の種々の変更が可能である。
【産業上の利用可能性】
【００８４】
上記のように、本発明によれば、簡略な構成でプラズマディスプレイ装置から外部へ放出される不要輻射ノイズを低減することができるとともに、内部回路への悪影響を低減することができ、高電圧駆動されるプラズマディスプレイを用いたプラズマディスプレイ装置等に好適に利用することができる。
【図面の簡単な説明】
【００８５】
【図１】図１は、本発明の第１の実施の形態によるプラズマディスプレイ装置の背面を示す斜視図である。
【図２】図２は、本発明の第１の実施の形態によるプラズマディスプレイ装置の前面を示す斜視図である。
【図３】図３は、本発明の第１の実施の形態によるプラズマディスプレイ装置の構成を示す断面図である。
【図４】図４は、図１乃至図３に示すバックカバーの斜視図である。
【図５】図５は、図１乃至図３に示すシールド体の斜視図である。
【図６】図６は、図５に示すシールド体をシャーシに取り付けた状態を示す平面図である。
【図７】図７は、図５に示すシールド体にバックカバーを取り付けた状態を示す平面図である。
【図８】図８は、図１乃至図３に示すプラズマディスプレイ装置に用いられる各回路のシャーシ上の配置図である。
【図９】図９は、本発明の第２の実施の形態によるプラズマディスプレイ装置の構成を示す断面図である。
【図１０】図１０は、本発明の第３の実施の形態によるプラズマディスプレイ装置の構成を示す断面図である。
【図１１】図１１は、本発明の第４の実施の形態によるプラズマディスプレイ装置の構成を示す断面図である。
【手続補正３】
【補正対象書類名】図面
【補正対象項目名】全図
【補正方法】変更
【補正の内容】
【図１】
2005022493.tif 000014
【図２】
2005022493.tif 000015
【図３】
2005022493.tif 000016
【図４】
2005022493.tif 000017
【図５】
2005022493.tif 000018
【図６】
2005022493.tif 000019
【図７】
2005022493.tif 000020
【図８】
2005022493.tif 000021
【図９】
2005022493.tif 000022
【図１０】
2005022493.tif 000023
【図１１】
2005022493.tif 000024
【国際調査報告】
2005022493.tif 000025
2005022493.tif 000026
2005022493.tif 000027
2005022493.tif 000028